(57)【要約】  【課題】磁路を構成する金属材料を含む構成部品の共振を排除することによって、周波数特性及び歪率特性を改善した電磁変換装置及び音響放射装置を提供する。  【解決手段】磁歪素子１１は一端が底部４２によって受けられている。永久磁石１３は、筒体で構成され、ボビン１９、コイル１７及び磁歪素子１１よりを収容し、底部４２及びヨ−ク部材１４とともに、磁歪素子１１に磁気バイアスを印加する磁気回路を構成する。ヨ−ク部材１４は貫通口１５を有する。伸縮伝達部材５は、一端側が磁歪素子１１の他端側に貫通口１５を介して接続され、他端が、外装体４の開口部４１１を通して外部に導かれている。【選択図】    図１
2005094448.tif 000002
【特許請求の範囲】
【請求項１】
外装体と、コイルボビンと、磁歪素子と、永久磁石と、ヨーク部材と、伸縮伝達部材とを含む音響放射装置用電磁変換装置であって、
前記外装体は、内部空間と、底部とを有し、
前記内部空間は、その一方の端部側が、前記底部によって閉じられ、前記底部と対向する他端側に開口部を有しており、
前記コイルボビン、前記磁歪素子、前記永久磁石、前記ヨーク部材及び前記伸縮伝達部材は、前記内部空間内に配置されており、
前記コイルボビンは、ボビンと、コイルとを含み、前記コイルが前記ボビンの筒状部の外周面に巻かれており、
前記コイルボビン及び前記磁歪素子は、相対する両端のうちの一端が前記外装体の前記底部によって受けられており、
前記永久磁石は、円筒状であって、内部に前記コイルボビン及び前記磁歪素子を収納するとともに、前記外装体の前記内部空間内に配置され、相対する両端の一端が前記外装体の前記底部によって受けられ、他端が前記外装体の前記内部空間の内壁面に形成された段部によって受けられており、
前記ヨ−ク部材は、厚み方向に貫通する貫通口を有する環状盤体であって、前記コイルボビン及び前記磁歪素子の他端側に配置され、前記永久磁石及び前記外装体の前記底部とともに、前記磁歪素子に磁気バイアスを印加する磁気回路を構成しており、前記ヨーク部材の他端は、前記伸縮伝達部材に接合されており、
前記伸縮伝達部材は、一端が前記開口部を通して外部に導かれ、他端側が前記磁歪素子の他端側に、前記貫通口を通して接続されている
音響放射装置用電磁変換装置。
【請求項２】
外装体と、コイルボビンと、磁歪素子と、永久磁石と、ヨーク部材と、磁歪素子受け部材と、伸縮伝達部材とを含む音響放射装置用電磁変換装置であって、
前記外装体は、内部空間と、底部とを有し、
前記内部空間は、その一方の端部側が、前記底部によって閉じられ、前記底部と対向する他端側に開口部を有しており、
前記コイルボビン、前記磁歪素子、前記永久磁石、前記ヨーク部材、前記磁歪素子受け部材及び伸縮伝達部材は、前記外装体の前期内部空間内に配置されており、
前記コイルボビンは、ボビンと、コイルとを有し、前記コイルが前記ボビンの筒状部の外周面に巻かれており、
前記コイルボビン及び前記磁歪素子は、相対する両端のうちの一端が前記外装体の前記底部によって受けられており、
前記永久磁石は、円筒状であって、内部に前記コイルボビン及び前記磁歪素子を収納するとともに、前記外装体の前記内部空間内に配置され、相対する両端の一端が前記外装体の前記底部によって受けられ、他端が前記外装体の前記内部空間の内壁面に形成された段部によって受けられており、
前記磁歪素子受け部材は、高分子材料を主成分とする材料で構成され、前記コイルボビン及び前記磁歪素子の他端側に配置され、相対する両面の一面側で、前記磁歪素子の他端を受けており、
前記ヨ−ク部材の相対する両面の一面側は、前記磁歪素子受け部材の他面側に接合されており、前記永久磁石及び前記外装体の前記底部とともに、前記磁歪素子に磁気バイアスを印加する磁気回路を構成しており、他面側は前記伸縮伝達部材に接続されており、
前記伸縮伝達部材は、一端が前記開口部を通して外部に導かれ、他端側が前記ヨーク部材と前記磁歪素子受け部材を介して前記磁歪素子の他端側に接続されている
音響放射装置用電磁変換装置。
【請求項３】
請求項１又は２に記載された音響放射装置用電磁変換装置であって、前記伸縮伝達部材は、高分子材料を主成分とする材料で構成されている音響放射装置用電磁変換装置。
【請求項４】
請求項１乃至３の何れかに記載された音響放射装置用電磁変換装置であって、更に、与圧部材を含み、前記与圧部材は、高分子材料を主成分とする材料で構成され、前記外装体と前記伸縮伝達部材との間に介在し、前記伸縮部材を前記磁歪素子の方向にばね付勢する
音響放射装置用電磁変換装置。
【請求項５】
請求項１に記載された音響放射装置用電磁変換装置であって、前記伸縮伝達部材及び前記ヨ−ク部材は、成型により一体化されている音響放射装置用電磁変換装置。
【請求項６】
請求項２に記載された音響放射装置用電磁変換装置であって、
前記伸縮部伝達部材、前記ヨ−ク部材及び前記磁歪素子受け部材は、成型により一体化されている音響放射装置用電磁変換装置。
【請求項７】
音響放射装置用電磁変換装置と、振動板とを含む音響放射装置であって、
前記電磁変換装置は、請求項1乃至６の何れかに記載されたものでなり、
前記振動板は、前記伸縮伝達部材によって駆動される
音響放射装置。
【発明の詳細な説明】
【技術分野】
【０００１】
本発明は、音響放射装置用電磁変換装置、及び、それを用いた音響放射装置に関する。
【背景技術】
【０００２】
この種の音響放射装置は、ボビンの筒状部に巻かれたコイルに入力信号を印加して磁歪素子に伸縮振動を生じさせ、その伸縮振動を、磁歪素子の伸縮端に、直接的または間接的に接触される構成部品を介して、振動板に伝達させることにより、音響を発生させるものであり、一般には、スピ−カとして用いられる。
【０００３】
上述した音響放射装置において、磁歪素子の伸縮端に接触する構成部品に、磁歪素子の伸縮(振動)に起因する音響的共振が発生すると、入力される信号以外の振動(共振)が振動板に伝達されることとなり、周波数特性、歪率特性の悪化の要因となるから、音響的共振現象を抑制しなければならない。
【０００４】
特に、この種の音響放射装置には、磁歪素子に磁気バイアスを付与するための磁石やヨーク部材が必要とされるので、これらの磁気回路構成部材における音響的共振現象を回避しなければならない。磁気回路構成部材には、磁性金属材料が用いられる。一般に、金属材料は、強い共振特性を有するので、磁歪素子の伸縮により、磁気回路構成部材に共振が発生すると、入力信号以外の振動が、振動板に伝達されることになり、周波数特性、歪率特性の悪化の要因となるからである。
【０００５】
特許文献１は、円環状ヨークに対して所定のクリアランスでその中心部に配設されて超磁歪ロッドとアクチュエータロッド（磁歪伸縮伝達部材）の間に介装される可動ヨークを含み、超磁歪ロッドを伸縮させたときに、ノイズが発生したり、摺動摩擦抵抗が変化しないように、アクチュエータロッドを板バネで懸架する構造を開示している。しかし、金属材料で構成されるヨークの共振については、全く開示されていない。
【０００６】
また、特許文献２に開示された振動駆動装置は、磁歪伸縮伝達部材の伸縮端を、音響発生用の振動体に直接に結合した構成であり、共振による音響ノイズを低減するための手段は開示されていない。
【特許文献１】特開平１０−１４５８９２号公報
【特許文献２】特開平４−３１３９９８号公報
【発明の開示】
【発明が解決しようとする課題】
【０００７】
本発明の課題は、磁路を構成する金属材料を含む構成部品の共振を排除することによって、周波数特性及び歪率特性を改善した音響放射装置用電磁変換装置及び音響放射装置を提供することである。
【０００８】
本発明のもう１つの課題は、磁路を構成する金属材料を含む構成部品の共振を排除することによって、磁歪素子へのストレスを低減し、素子強度の経時劣化を抑制し得る音響放射装置用電磁変換装置及び音響放射装置を提供することである。
【課題を解決するための手段】
【０００９】
上述した課題を解決するため、本発明は、音響放射装置用電磁変換装置及び音響放射装置について、２つの態様を開示する。
【００１０】
１． 音響放射装置用電磁変換装置
本発明の第１の態様に係る音響放射装置用電磁変換装置は、外装体と、コイルボビンと、磁歪素子と、永久磁石と、ヨーク部材と、伸縮伝達部材とを含む。前記外装体は、内部空間と、底部とを有する。前記内部空間は、その一方の端部側が、前記底部によって閉じられ、前記底部と対向する他端側に開口部を有している。前記コイルボビン、前記磁歪素子、前記永久磁石、前記ヨーク部材及び前記伸縮伝達部材は、前記内部空間に配置されている。
【００１１】
前記コイルボビンは、ボビンと、コイルとを含み、前記コイルが前記ボビンの筒状部の外周面に巻かれている。前記磁歪素子は、前記ボビンの前記筒状部の内部に挿入されている。前記コイルボビン及び前記磁歪素子は、相対する両端のうちの一端が前記外装体の前記底部によって受けられている。
【００１２】
前記永久磁石は、円筒状であって、内部に前記コイルボビン及び前記磁歪素子を収納するとともに、前記外装体の前記内部空間内に配置され、相対する両端の一端が前記外装体の前記底部によって受けられ、他端が前記外装体の前記内部空間の内壁面に形成された段部によって受けられている。
【００１３】
前記ヨ−ク部材は、厚み方向に貫通する貫通口を有する環状盤体であって、前記コイルボビン及び前記磁歪素子の他端側に配置され、前記永久磁石及び前記外装体の前記底部とともに、前記磁歪素子に磁気バイアスを印加する磁気回路を構成している。前記ヨーク部材の他端は前記伸縮伝達部材に接合されている。
【００１４】
前記伸縮伝達部材は、一端が前記開口部を通して外部に導かれ、他端側が前記磁歪素子の他端側に、前記貫通口を通して接続されている。
【００１５】
上述した本発明に係る音響放射装置用電磁変換装置において、コイルボビン、磁歪素子、永久磁石、ヨーク部材及び伸縮伝達部材は、外装体の内部空間に配置されているから、構成部品を外装体によって保護することができる。
【００１６】
磁歪素子はボビンの筒状部に挿入されており、コイルはボビンの筒状部の外周面に巻かれているから、磁歪素子の伸縮振動に伴うコイルの劣化及び損傷をボビンによって防ぐことができる。
【００１７】
永久磁石は、外装体の内部空間内に配置され、相対する両端の一端が外装体の底部によって受けられ、他端が外装体の内部空間の内壁面に形成された段部によって受けられているから、外装体の内部に確実に保持される。
【００１８】
ヨ−ク部材は、環状盤体であって、前記コイルボビン及び前記磁歪素子の他端側に配置され、永久磁石及び外装体の底部とともに、磁歪素子に磁気バイアスを印加する磁気回路を構成している。この構造によれば、磁歪素子に対して、その全周にわたって、磁気効率の高い擬似閉磁路を構成し得る。このため、コイルに交流入力信号を印加して、磁歪素子に伸縮振動を生じさせた場合、高効率の伸縮振動を生じさせることができる。
【００１９】
伸縮伝達部材は、一端が外部に導かれ、他端側が磁歪素子の他端側に接続されているから、磁歪素子の伸縮振動は伸縮伝達部材に伝達され、伸縮伝達部材が磁歪素子の伸縮振動を受けて振動する。
【００２０】
伸縮伝達部材は、他端側が、磁歪素子の他端側に、ヨ−ク部材に設けた貫通口を通して接続されているから、磁歪素子がヨ−ク部材に直接接触しない。このため、ヨ−ク部材をはじめ、磁路を構成する金属材料を含む構成部品に、強い共振振動を生じることがなく、構成部品の共振を回避することができる。したがって、入力信号によらない振動の発生が抑制され、共振による音響ノイズを低減し、周波数特性及び歪率特性を改善することができる。
【００２１】
また、磁路を構成する金属材料を含む構成部品に、強い共振振動を生じることがないので、構成部品の共振による磁歪素子へのストレスを低減し、磁歪素子強度の経時劣化を抑制し得る。
【００２２】
本発明の第２の態様に係る音響放射装置用電磁変換装置の特徴は、磁歪素子受け部材を有する点にある。磁歪素子受け部材は、高分子材料を主成分とする材料で構成され、前記コイルボビン及び前記磁歪素子の他端側に配置され、一面側で、磁歪素子の他端を受けている。前記伸縮伝達部材は、一端が前記開口部を通して外部に導かれ、他端側が前記ヨーク部材と前記磁歪素子受け部材を介して磁歪素子の他端側に接続されている。ヨ−ク部材は、第１の態様と異なって、貫通口をもたない。
【００２３】
第２の形態の音響放射装置用電磁変換装置の構造において、磁歪素子と伸縮伝達部材とは、ヨーク部材と高分子材料を主成分とする磁歪素子受け部材とを介して接続されているから、磁歪素子がヨ−ク部材に直接接触しない。このため、第１の態様と同様に、磁歪素子の伸縮振動による、ヨ−ク部材をはじめ、磁路を構成する金属材料を含む構成部品に、強い共振振動を生じることがなく、構成部品の共振を回避することができる。したがって、入力信号によらない振動の発生が抑制され、共振による音響ノイズを低減し、周波数特性及び歪率特性を改善することができる。
【００２４】
また、磁路を構成する金属材料を含む構成部品に、強い共振振動を生じることがないので、構成部品の共振による磁歪素子へのストレスを低減し、磁歪素子強度の経時劣化を抑制し得る。
【００２５】
２． 音響放射装置
本発明に係る音響放射装置は、音響放射装置用電磁変換装置と、振動板とを含む。前記音響放射装置用電磁変換装置は、上述した本発明に係る第１もしくは第２の音響放射装置用電磁変換装置でなる。前記振動板は、前記伸縮伝達部材に連結されている。
【００２６】
本発明に係る音響放射装置は、上述した本発明に係る第１もしくは第２の音響放射装置用電磁変換装置を用いるので、本発明に係る第１もしくは第２の音響放射装置用電磁変換装置による作用効果をそのまま得ることができる。
【発明の効果】
【００２７】
上述したように、本発明によれば、次のような効果を得ることができる。
【００２８】
（ａ）磁路を構成する金属材料を含む構成部品の共振を排除することによって、周波数特性及び歪率特性を改善した電磁変換装置及び音響放射装置を提供することができる。
【００２９】
（ｂ）磁路を構成する金属材料を含む構成部品の共振を排除することによって、磁歪素子へのストレスを低減し、素子強度の経時劣化を抑制し得る音響放射装置用電磁変換装置及び音響放射装置を提供することができる。
【発明を実施するための最良の形態】
【００３０】
１．音響放射装置用電磁変換装置
図１は本発明の第１の態様に係る音響放射装置用電磁変換装置を示す正面断面図である。図示された音響放射装置用電磁変換装置は、外装体４と、伸縮伝達部材５と、与圧部材６と、磁歪素子１１と、永久磁石１３と、ヨーク部材１４と、コイル１７と、ボビン１９とを含む。コイル１７と、ボビン１９とは、コイルボビンを構成する。
【００３１】
外装体４は、金属材料などの剛性材料によって構成され、内部空間４１５と、底部４２とを有する。外装体４は、筒状部４１の一端に、底部４２を嵌め込んで、ねじなどの止め具４５によって固定した構造となっており、底部４２と対向する側に開口部４１１を有している。開口部４１１は、筒状部４１の他端に形成した内向きつば部４１２を有する。伸縮伝達部材５、与圧部材６、磁歪素子１１、永久磁石１３、ヨーク部材１４、コイル１７及びボビン１９は、外装体４の内部空間４１５に収納されている。
【００３２】
ボビン１９は、筒状部１９０及びその両端につば部１９１、１９２を有しており、コイル１７はボビン１９の筒状部１９０の外周面に巻かれている。ボビン１９の筒状部１９０の内部には磁歪素子１１が挿入されている。図示された磁歪素子１１は、棒状である。ボビン１９のつば部１９１は、底部４２の内面に設けられた段部４２１に嵌め込まれる。磁歪素子１１は、相対する両端のうち、一端が段部４２１に当接し、底部４２によって受けられている。
【００３３】
永久磁石１３は、円筒体で構成されていて、内部に磁歪素子１１、コイル１７及びボビン１９を収納するとともに、外装体４の内部空間４１５内に配置され、相対する両端の一端が、外装体４の底部４２によって受けられ、他端が外装体４の内部空間４１５の内壁面に形成された段部４１４によって受けられている。
【００３４】
ヨーク部材１４は、中央部に厚み方向に貫通する貫通口１５が空けられた円環状盤体である。ヨーク部材１４は、永久磁石１３及び底部４２とともに、擬似閉磁路を形成して、磁歪素子１１に磁気バイアスを印加する。
【００３５】
伸縮伝達部材５は、一端側が磁歪素子１１の他端側に、貫通口１５を介して接続され、他端が開口部４１１を通して外部に導かれている。伸縮伝達部材５は、好ましくは、高分子材料を主成分とする材料によって構成する。図示された伸縮伝達部材５は、磁歪素子１１と接続される一端側に、磁歪素子１１を受ける凹部５３が設けられている。伸縮伝達部材５と磁歪素子１１との接続部は、伸縮伝達部材５の一端をボビン１９の筒状部１９０内まで延長させて、筒状部１９０内に設けてもよく、逆に、磁歪素子１１をヨーク部材１４の貫通口１５を貫通させ、伸縮伝達部材５の他端寄りに凹部５３設けて磁歪素子１１を受けるよう構成してもよい。
【００３６】
伸縮伝達部材５の胴部５４は、段付状となっていて、外部に導かれる他端の先端部にねじ部５５が備えられている。胴部５４の後端部には、つば部５２が設けられている。
【００３７】
与圧部材６は、外装体４と伸縮伝達部材５との間に介在し、伸縮伝達部材５を磁歪素子１１の方向に付勢する。与圧部材６は、金属製板ばね、または、金属コイルばねが使用できるが、高分子材料を主成分とする弾性材料が好ましい。具体的には、ある一定の弾性係数を有する高分子ゴム、または、高分子プラスチックなどである。これらは、高分子材料の単独材料であってもよいし、高分子材料に無機粉体等を添加した複合材料であってもよい。
【００３８】
実施例の与圧部材６は、円筒状であり、筒状体の軸方向でみた一端が外装体４によって受けられ、他端が、伸縮伝達部材５のつば部５２によって構成される段部５６によって受けられる。
【００３９】
与圧部材６は、伸縮伝達部材５の胴部５４を包囲するように配置され、胴部５４の端部に設けたつば部５２によって構成される段部５６と、スペーサ７のつば部７２の段部７３との間で圧縮される。
【００４０】
図示実施例では、スペーサ７を含み、スペーサ７は、外装体４と伸縮伝達部材５との間に挿入されている。スペーサ７も、高分子材料を主成分とする材料によって構成することが好ましい。スペーサ７は、つば部７２を有しており、つば部７２が、外装体４の内向きつば部４１２の内面４１３に重なり、それによって支持されている。
【００４１】
上述した本発明に係る電磁変換装置において、伸縮伝達部材５、与圧部材６、磁歪素子１１、永久磁石１３、ヨーク部材１４、コイル１７及びボビン１９は、外装体４の内部空間４１５に収納されているから、全体を外装体４によって保護することができる。
【００４２】
外装体４は底部４２を有しており、磁歪素子１１は、相対する両端のうちの一端が底部４２によって受けられている。伸縮伝達部材５は、一端側が磁歪素子１１の他端側に接続されている。与圧部材６は、外装体４と伸縮伝達部材５との間に介在し、伸縮伝達部材５を磁歪素子１１の方向に付勢する。従って、与圧部材６から伸縮伝達部材５を介して磁歪素子１１に与圧を印加することができる。
【００４３】
更に、永久磁石１３は、外装体４の内部空間４１５内に配置され、相対する両端の一端が外装体４の底部４２によって受けられ、他端が外装体４の内部空間４１５の内壁面に形成された段部４１４によって受けられているから、外装体４の内部に確実に保持される。
【００４４】
ヨーク部材１４は、円環状盤体で構成され、ボビン１９、コイル１７及び磁歪素子１１の他端側に配置され、永久磁石１３及び外装体４の底部４２とともに、磁歪素子１１に磁気バイアスを印加する磁気回路を構成している。この構造によれば、磁歪素子１１に対して、その全周にわたって、磁気効率の高い擬似閉磁路を構成し得る。このため、ボビン１９に交流入力信号を印加して、磁歪素子１１に伸縮振動を生じさせた場合、高効率の伸縮振動を生じさせることができる。
【００４５】
伸縮伝達部材５は、一端が外部に導かれ、他端側が磁歪素子１１の他端側に接続されているから、磁歪素子１１の伸縮振動は伸縮伝達部材５に伝達され、伸縮伝達部材５が磁歪素子１１の伸縮振動を受けて振動する。
【００４６】
伸縮伝達部材５は、一端が、外装体４の開口部４１１を通して外部に導かれ、他端側が磁歪素子１１の他端側に、貫通口１５を通して接続されているから、磁歪素子１１がヨーク部材１４に直接接触しない。このため、磁歪素子１１の伸縮振動による、ヨーク部材１４をはじめ、磁路を構成する金属材料を含む構成部品に、強い共振振動を生じることがなく、構成部品の共振を回避することができる。したがって、入力信号によらない振動の発生が抑制され、共振による音響ノイズを低減し、周波数特性及び歪率特性を改善することができる。
【００４７】
また、磁路を構成する金属材料を含む構成部品に、強い共振振動を生じることがないので、構成部品の共振による磁歪素子１１へのストレスを低減し、磁歪素子１１の強度の経時劣化を抑制し得る。
【００４８】
磁歪素子１１はボビン１９の筒状部１９０の内部に挿入されており、コイル１７はボビン１９の筒状部１９０の外周面に巻かれているから、磁歪素子１１の伸縮振動に伴うコイル１７の劣化及び損傷をボビン１９によって防ぐことができる。
【００４９】
外装体４の内部空間４１５は、底部４２と対向する側に開口部４１１を有しており、伸縮伝達部材５は、他端が外装体４の開口部４１１を通して外部に導かれているから、伸縮伝達部材５の振動出力を、外部に取り出すことができる。
【００５０】
本実施例では、与圧部材６、伸縮伝達部材５及びスペ−サ７をも、高分子材料を主成分とする材料で構成した。この場合、磁歪素子１１の伸縮端側と外装体４との間に直接、間接的に結合される全ての構成部品について、強い共振振動を生じることがない。したがって、入力信号以外の振動の発生を、より完全に抑え、更に優れた周波数特性、歪率特性を得ることができる。
【００５１】
図２は本発明の第２の態様に係る音響放射装置用電磁変換装置を示す正面断面図である。図示された音響放射装置用電磁変換装置において、図１と同一参照符号を付した部分は同一構成部分を示しており、共通部分の重複説明は省略する。
【００５２】
図２に図示した本発明の第２の態様に係る音響放射装置用電磁変換装置は、第１の態様と比較して、ヨ−ク部材の構成及び磁歪素子１１と伸縮伝達部材５との接続形態で異なっているが、その他の構成は、第１の態様と同様である。
【００５３】
本発明の第２の態様に係る音響放射装置用電磁変換装置において、永久磁石及びヨーク部材は、第１の態様と同様、一方が筒体で構成され、他方がヨ−ク部材で構成されているが、ヨ−ク部材は、盤状であって、磁歪素子側に高分子材料を主成分とする磁歪素子受け部材が備えられている。永久磁石及びヨーク部材は、第１の態様と同様どちらかが筒体で、どちらかがヨ−ク部材であればよい。
【００５４】
図示実施例において、永久磁石１３は、円筒体で構成され、ヨーク部材１４は、円盤状のヨ−ク部材である。円盤状ヨーク部材１４は、磁歪素子１１側に高分子材料を主成分とする磁歪素子受け部材１６が備えられている。実施例では、磁歪素子受け部材１６は、円盤状ヨーク部材１４と同じ大きさの円盤状に形成され、中央部に、磁歪素子１１を受ける凹部１６１が形成されている。磁歪素子受け部材１６は、磁歪素子１１を円盤状ヨーク部材１４に直接接触させずに受けられる大きさ、形状であればよく、凹部１６１は無くてもよい。磁歪素子受け部材１６の材料は、高分子材料の単独材料であってもよいし、高分子材料に無機粉体等を添加した複合材料であってもよく、伸縮伝達部材５と同一の材料を用いることもできる。
【００５５】
伸縮伝達部材５は、一端側が、ヨーク部材１４と、磁歪素子受け部材１６とを介して磁歪素子１１の他端側に接続されている。
【００５６】
かかる第２の形態の音響放射装置用電磁変換装置の構造において、磁歪素子１１と伸縮伝達部材５とは、ヨーク部材１４と、高分子材料を主成分とする磁歪素子受け部材１６とを介して接続されているから、磁歪素子１１がヨーク部材１４に直接接触しない。このため、第１の態様と同様に、磁歪素子１１の伸縮振動による、ヨーク部材１４をはじめ、永久磁石１３等の磁路を構成する金属材料を含む構成部品に、強い共振振動を生じることがなく、構成部品の共振を回避することができる。したがって、入力信号によらない振動の発生が抑制され、共振による音響ノイズを低減し、周波数特性及び歪率特性を改善することができる。また、その他の作用効果についても、第１の形態と同様に得ることができる。
【００５７】
２．音響放射装置
図３は本発明に係る音響放射装置の一実施例を示す部分断面図である。図において、図１に現れた構成部分と同一の構成部分については、同一の参照符号を付し、重複説明は省略する。図示された音響放射装置は、図１に図示し、説明した本発明の第１の態様に係る音響放射装置用電磁変換装置９と、振動板１０とを含んでいる。振動板１０は、電磁変換装置９の伸縮伝達部材５に連結されている。図示実施例では、伸縮伝達部材５の先端にねじ結合させた押し圧部材８３によって、振動板１０を駆動するようになっている。
【００５８】
図３に示した音響放射装置は、本発明の第１の態様に係る音響放射装置用電磁変換装置９を用いているので、音響放射装置用電磁変換装置９の有する上記作用効果を全て享受できる。即ち、電磁変換装置９において、その構成部品の共振が排除されているから、周波数特性及び歪率特性を改善した音響放射装置を得ることができる。また、構成部品の共振による磁歪素子１１へのストレスを低減し、素子強度の経時劣化を抑制し得る音響放射装置を得ることができる。
【００５９】
図４は本発明に係る音響放射装置の他の一実施例を示す部分断面図である。図において、図１及び図２に現れた構成部分と同一の構成部分については、同一の参照符号を付し、重複説明は省略する。図示された音響放射装置は、図２に図示し、説明した本発明の第２の態様に係る音響放射装置用電磁変換装置９と、振動板１０とを含み、図３に図示した音響放射装置と同様に組み合わされている。図４に図示した音響放射装置は、本発明の第２の態様に係る音響放射装置用電磁変換装置９を用いているので、音響放射装置用電磁変換装置９の有する上記作用効果を全て享受できる。
【００６０】
以上、好ましい実施例を参照して本発明を詳細に説明したが、本発明はこれらに限定されるものではなく、当業者であれば、その基本的技術思想および教示に基づき、種々の変形例を想到できることは自明である。
【図面の簡単な説明】
【００６１】
【図１】本発明の第１の態様に係る音響放射装置用電磁変換装置の正面断面図である。
【図２】本発明の第２の態様に係る音響放射装置用電磁変換装置の正面断面図である。
【図３】本発明に係る音響放射装置の一実施例を示す部分断面図である。
【図４】本発明に係る音響放射装置の他の一実施例を示す部分断面図である。
【符号の説明】
【００６２】
４              外装体
４１５              内部空間
４２              底部
５              伸縮伝達部材
６              与圧部材
７              スペーサ
１１              磁歪素子
１３              永久磁石
１４              ヨーク部材
１５              貫通口
１６              磁歪素子受け部材
１７              コイル
１９              ボビン
【図１】
2005094448.tif 000003
【図２】
2005094448.tif 000004
【図３】
2005094448.tif 000005
【図４】
2005094448.tif 000006